(57)【要約】【課題】構造を簡素化できる画像入出力装置を提供する。【解決手段】天井部に形成された開口部から底部方向に筒状に延伸する袋部４４を有し印刷手段を収容しているプリンタハウジング２と、プリンタハウジング２の上部に載置され画像読み取り手段を収容しているスキャナハウジング３と、プリンタハウジング２にスキャナハウジング３を揺動自在に連結するヒンジであって、袋部４４に嵌挿される基部１４と、スキャナハウジング３に取り付けられ基部１４に回動自在に支持される回動体１１と、プリンタハウジング２からスキャナハウジング３を離間させる方向に回動体１１に回転力を加え、基部１４に回動体１１と逆方向の回転力を加える付勢手段１２、１３及び１１１とを有するヒンジと、を備える。【選択図】　図１
2004120548.tif 000002
【特許請求の範囲】
【請求項１】
天井部に形成された開口部から底部方向に筒状に延伸する袋部を有し印刷手段を収容しているプリンタハウジングと、
前記プリンタハウジングの上部に載置され画像読み取り手段を収容しているスキャナハウジングと、
前記プリンタハウジングに前記スキャナハウジングを揺動自在に連結するヒンジであって、前記袋部に嵌挿される基部と、前記スキャナハウジングに取り付けられ前記基部に回動自在に支持される回動体と、前記プリンタハウジングから前記スキャナハウジングを離間させる方向に前記回動体に回転力を加え、前記基部に回動体と逆方向の回転力を加える付勢手段とを有するヒンジと、
を備えることを特徴とする画像入出力装置。
【請求項２】
前記袋部は、前記プリンタハウジングの底部に係止又は固定されることを特徴とする請求項１に記載の画像入出力装置。
【請求項３】
前記基部は、前記プリンタハウジングの上面に固定される取り付け部を有していることを特徴とする請求項１又は２に記載の画像入出力装置。
【請求項４】
前記回動体は、前記スキャナハウジングの天井部及び底部に固定されることを特徴とする請求項１、２又は３のいずれか一項に記載の画像入出力装置。
【請求項５】
前記回動体は、前記スキャナハウジングの天井部又は底部の一方に固定され、他方に係止されることを特徴とする請求項１、２又は３に記載の画像入出力装置。
【発明の詳細な説明】
【０００１】
【発明の属する技術分野】
本発明は画像入出力装置に関する。
【０００２】
【従来の技術】
画像入出力装置として、プリンタと画像読み取り装置としてのイメージスキャナとを一体化した所謂複合機が知られている。こうした複合機の中には、イメージスキャナを収容するスキャナハウジングと、プリンタを収容するプリンタハウジングとをヒンジで揺動自在に連結しているものが知られている。
【０００３】
スキャナハウジングとプリンタハウジングとを揺動自在に連結した複合機の場合、スキャナハウジングはイメージスキャナを収容しているため重量が重く、閉じるときスキャナハウジングが自重により急激に閉方向に落下して手を挟むなどの事故が起きる危険性がある。このため、従来は付勢手段としてヒンジの基部にくさび体、弾性部材を収容し、くさび体を弾性部材で回動体側に付勢し、くさび体の斜面を回動体が有するカム部に摺接させることでプリンタハウジングからスキャナハウジングを離間させる方向に回動体に回転力を加え、これによりスキャナハウジングの閉方向への落下を防止している（例えば、特許文献１参照。）。
【０００４】
【特許文献１】
特開２００１−９８８３９号公報
【０００５】
【発明が解決しようとする課題】
しかしながら、回動体に回転力を加えると、その反力によってくさび体に回動体と逆方向の回転力が加わる。それにより基部に回動体と逆方向の回転力が加わり、基部がイメージスキャナの重量に耐えきれずに破損するあるいはたわむという問題がある。このため、従来は例えば固定部材を用いて基部を補強している。
【０００６】
図６は、従来の基部の補強構造の一例を示す模式図である。図示するように従来はプリンタハウジング６１に固定部材としてＬ字型板金６２を取り付けている。Ｌ字型板金６２の底部はプリンタハウジング６１の底部に複数のビスなどで固定され、他方はプリンタハウジング６１の天井部に同様に固定されている。基部６３は複数のビスなどでＬ字型板金６２に固定されることにより補強されている。
【０００７】
しかしながら、従来の補強構造では、基部６３を補強するための固定部材を用いるため部品点数が増える上、その取り付け工程が必要になり、複合機の製造コストが増大するという問題がある。
【０００８】
更に、従来の複合機は、回動体６６をスキャナハウジング６４の側壁と底部とに固定している。側壁と底部とは互いに隣り合っているため、回動体６６を側壁と底部とに固定するとスキャナハウジング６４の重量がほぼ一極に集中することになる。このため、従来は図示するようにスキャナハウジング６４に別の固定部材としてのＬ字型板金６５を備え、これにより回動体６６が取り付けられる側壁及び底部を補強しており、部品点数が更に増えるという問題もある。
【０００９】
本発明は、かかる問題に鑑みて創作されたものであって、構造を簡素化できる画像入出力装置を提供することを目的とする。
【００１０】
【課題を解決するための手段】
請求項１に記載の画像入出力装置は、天井部に形成された開口部から底部方向に筒状に延伸する袋部を有し印刷手段を収容しているプリンタハウジングと、プリンタハウジングの上部に載置され画像読み取り手段を収容しているスキャナハウジングと、プリンタハウジングにスキャナハウジングを揺動自在に連結するヒンジであって、袋部に嵌挿される基部と、スキャナハウジングに取り付けられ基部に回動自在に支持される回動体と、プリンタハウジングからスキャナハウジングを離間させる方向に回動体に回転力を加え、基部に回動体と逆方向の回転力を加える付勢手段とを有するヒンジと、を備えることを特徴とする。この画像入出力装置によると、基部は袋部に嵌挿されて補強されるため、基部に回動体とは逆方向の回転力が加わっても破損やたわみが生じにくい。従って基部を補強するための固定部品を用いる必要がない。よってこの画像入出力装置によると、構造を簡素化できる。
【００１１】
請求項２に記載の画像入出力装置の袋部は、プリンタハウジングの底部に係止又は固定されることを特徴とする。袋部の底部をプリンタハウジングの底部に係止又は固定すると、基部をより強固に補強できる。
【００１２】
請求項３に記載の画像入出力装置の基部は、プリンタハウジングの上面に固定される取り付け部を有していることを特徴とする。この画像入出力装置によると、基部はプリンタハウジングの上面に固定されるため、プリンタハウジングを解体することなく基部を容易に取り外せる。従って保守の際にスキャナハウジングをプリンタハウジングから取り外すとき、基部を取り外すことでスキャナハウジングを容易に取り外すことができ、保守性が向上する。
【００１３】
請求項４に記載の画像入出力装置の回動体は、スキャナハウジングの天井部及び底部に固定されることを特徴とする。この画像入出力装置によると、スキャナハウジングの重量が天井部と底部とに分散されるため、固定部材で補強することなく取り付けることができる。従って部品点数を更に減らすことができる。よって構造を更に簡素化できる。
【００１４】
請求項５に記載の画像入出力装置の回動体は、スキャナハウジングの天井部又は底部の一方に固定され、他方に係止されることを特徴とする。この画像入出力装置によると、固定部材で補強することなく取り付けることができる上、他方は係止されるのみのため、ねじなどの固定のための部品が不要になる。よって構造を更に簡素化できる。
【００１５】
【発明の実施の形態】
以下、本発明の実施の形態を複数の図面に基づいて説明する。
図２は、本発明の一実施例による画像入出力装置としての複合機４を示す模式図である。複合機４は、画像読み取り手段としての走査部３０と、印刷手段としての印刷部２０とを備えている。走査部３０はイメージスキャナとして画像の読み取り入力機能を実現し、印刷部２０はプリンタとして画像の印刷出力機能を実現する。更に複合機４は、走査部３０で読み取った画像を印刷部２０で印刷することにより電子複写機としての機能も実現する。
【００１６】
スキャナハウジング３は、走査部３０を収容している。スキャナハウジング３は樹脂等で箱形に形成され、プリンタハウジング２とは反対側に原稿台３９を備え、所謂フラットベッド型のスキャナを構成している。スキャナハウジング３の外部には、原稿台３９の盤面を覆う原稿台カバー３２が揺動可能に装着されている。走査部３０は、キャリッジ３８、光源３４、ミラー３５、レンズ３６、リニアイメージセンサ３７などで構成されている。キャリッジ３８は、原稿台３９の盤面と平行な水平方向に往復移動可能に設けられ、光源３４、ミラー３５及びレンズ３６からなる光学系とリニアイメージセンサ３７とをＡ方向に運搬する。破線で示すように、光学系は光源３４により照射された被写体Ｍの反射光像をミラー３５及びレンズ３６でリニアイメージセンサ３７に結像する。
【００１７】
プリンタハウジング２は、印刷部２０を収容している。プリンタハウジング２は樹脂等で箱形に形成され、天板２５側においてスキャナハウジング３を揺動可能に支持している。これによりスキャナハウジング３はプリンタハウジング２の上部に載置される。印刷部２０のキャリッジ２２は水平方向に往復移動可能に設けられ、搭載した複数のカートリッジ２３及び記録ヘッド２４をＢ方向に運搬する。各カートリッジ２３に収容されているインクは記録ヘッド２４により印刷用紙Ｎに滴状に噴射される。印刷部２０の搬送機構２６は、プリンタハウジング２の図示しない給紙口に供給された印刷用紙Ｎを所定の印刷位置まで搬送する。さらに搬送機構２６は、記録ヘッド２４により画像を印刷された印刷用紙Ｎをプリンタハウジング２の図示しない排紙口から排出する。
【００１８】
制御部７０は、ケーブル７１を通じて入力されたリニアイメージセンサ３７の出力信号に基づき被写体像を表す画像データを生成する。さらに制御部７０は、生成した画像データに基づき搬送機構２６及び記録ヘッド２４の作動を制御することで、被写体像を表す画像を印刷用紙Ｎに印刷する。
【００１９】
図３は、スキャナハウジング３とプリンタハウジング２とを揺動自在に連結するヒンジ１を示す図である。
ヒンジ１は、回動体１１、くさび体１２、圧縮コイルばね１３、基部１４、金属シャフト１５及び金属シャフト１５の抜けを防止するリング部材１６を備える。
【００２０】
基部１４は、ポリアセタールなどを原料として有底筒状に形成され、開口１４３を有している。基部１４は４つの側壁部を有し、４つの側壁部の互いに向き合う一対の側壁部１４１及び１４２の開口１４３側の端部には金属シャフト１５を貫設するための軸孔１４４及び１４５が形成されている。基部１４には圧縮コイルばね１３、くさび体１２の順で収容され、それらが収容された後に回動体１１が金属シャフト１５で回動自在に基部１４に連結される。また、基部１４の外周側壁にはプリンタハウジング２の上面に取り付けられる取り付け部１４６及び張り出し部１４７が外周壁面に垂直な方向に突出して形成されている。
【００２１】
くさび体１２は、後述するカム部１１１と摺接する斜面１２１を有し、基部１４に往復移動自在に収容される。
回動体１１は、ナイロンなどからなり、回動体１１の系方向に突出するカム部１１１、スキャナハウジング３の天井部に螺設される第一締結部１１２及びスキャナハウジングの底部に螺設される第二締結部１１３が形成されている。回動体１１は金属シャフト１５が軸受け部１１４を貫通することで基部１４の互いに向き合う側壁部１４１及び１４２の端部に回動自在に支持される。尚、回動体１１に端部から円柱状に突出する一対の軸部を設け、その軸部により側壁端部に回動自在に支持されるようにしてもよい。
【００２２】
図４（Ａ）は、プリンタハウジング２の天井部に形成された開口部４１を示す図であり、図４（Ｂ）は開口部４１に基部１４のみを挿入した様子を示している。尚、プリンタハウジング２には開口部４１が２つ形成され、それぞれにヒンジ１が嵌挿される。すなわち、スキャナハウジング３とプリンタハウジング２とは２つのヒンジ１により揺動自在に連結される。図４（Ａ）と図４（Ｂ）とはそれぞれ異なる開口部４１を示している。図４（Ａ）に示すように開口部４１の開口縁部には基部１４の張り出し部１４７を係止するための段差４２が形成されており、また、基部１４の取り付け部１４６を固定するための凹み部４３が形成されている。図示するように凹み部４３には取り付け部１４６を螺設するためのねじ穴が形成されている。図４（Ｂ）に示すように基部１４は取り付け部１４６が凹み部４３に嵌合されるよう位置決めされて開口部４１に挿入され、ねじで締結される。
【００２３】
図１は、複合機４の開口部４１周辺の断面図である。プリンタハウジング２には、天井部に形成された開口部４１からプリンタハウジング２の底部に向かって筒状に延びる袋部４４が形成されている。袋部４４には、内側に張り出し、基部１４の底部を当接させて基部１４を支持する段差４５が形成されている。袋部４４の段差４５近傍の内周形状であって、段差４５より開口部４１側の内周形状は、基部１４の底部近傍の外周形状と同一形状に形成され、基部１４の底部は袋部４４に嵌合されている。これにより袋部４４は、基部１４に回動体１１とは逆方向の回転力が加わっても、基部１４が破損するあるいはよじれることがないよう補強している。また、図示するように袋部４４の底部はプリンタハウジング２の底部まで延びてプリンタハウジング２に螺設されている。これにより袋部４４は、袋部４４の底部をプリンタハウジング２に固定しない場合に比べて基部１４をより強固に補強できる。尚、本実施例では袋部４４の底部をプリンタハウジング２の底部に固定するが、袋部４４が底部をプリンタハウジング２に固定しなくても基部１４がねじれることなくあるいは破損することなく補強できる強度を持っていれば、底部をプリンタハウジング２に固定しなくてもよい。また、本実施例では底部をプリンタハウジング２に固定するが、係止してもよい。
【００２４】
また、図１に示すように、回動体１１の第一締結部１１２はスキャナハウジング３の天井部に螺設され、第二締結部１１３はスキャナハウジング３の底部に螺設されている。これによりスキャナハウジングの重量が天井部と底部とに分散される。従って固定部材で補強することなく回動体１１を取り付けることができ、構造をより簡素化できる。尚、本実施例では第一締結部１１２と第二締結部１１３とをどちらも螺設により固定するが、一方のみを固定し、他方は係止するようにしてもよい。他方を係止すると例えば螺設のためのねじが不要になり構成をより簡素化できる上、ねじ止めの工程が不要になり製造コストをより低減できる。
【００２５】
次に、ヒンジ１及び袋部４４の作動について説明する。
図５（Ａ）はスキャナハウジング３が全閉姿勢のときのヒンジ１を示す図であり、図５（Ｂ）は全開姿勢のときのヒンジ１を示す図である。全閉姿勢ではスキャナハウジング３はプリンタハウジング２の上部に載置されて定位する。全閉姿勢のとき圧縮コイルばね１３はカム部１１１によって底部側に圧縮されている。この状態から図５（Ｂ）に示す全開姿勢になるようスキャナハウジング３を開いていくと、その過程でくさび体１２は圧縮コイルばね１３により回動体１１側へ付勢される。それにより斜面１２１がカム部１１１に摺接し、回動体１１にプリンタハウジング２からスキャナハウジング３を離間させる方向に回転力を加える。すなわち、回動体１１に開方向のモーメントが作用する。スキャナハウジング３を閉じるときは開方向のモーメントは自重あるいは閉じ操作力による閉方向のモーメントに抗する力、すなわち制動力として作用するため、スキャナハウジング３が所定の重量より重い場合、スキャナハウジング３は落下速度を落してゆっくり閉じる。また、スキャナハウジング３が所定の重量より軽い場合、全開と全閉との間の任意の角度で停止する。これによりスキャナハウジング３の閉方向の急激な落下を防止できる。回動体１１に回転力を加えているとき、その反力によりくさび体１２に回動体１１とは逆方向の回転力が加わり、それにより基部１４に回動体１１と逆方向の回転力が加わる。
【００２６】
以上説明した本発明の一実施例に係る複合機４によると、基部１４は袋部４４に嵌挿されて補強されているため、スキャナハウジング３の揺動によって基部１４に回動体１１と逆方向の回転力が加わっても破損やたわみが生じない。従って基部１４を補強するための固定部品を用いる必要がない。よって複合機４によると、構造を簡素化できる。これにより複合機４の製造コストを低減できる。
【００２７】
更に、複合機４によると、基部１４の取り付け部１４６はプリンタハウジング２の上面に固定され、且つ基部１４はプリンタハウジング２の内部で固定部材に固定される必要がないことから、基部１４はプリンタハウジング２が組み上がった後でプリンタハウジング２に固定することができる。逆にいえば、基部１４はプリンタハウジング２を解体することなく取り外すことができる。このため、複合機４の保守が容易になる。
【図面の簡単な説明】
【図１】本発明の一実施例による画像入出力装置の開口部周辺の断面図である。
【図２】本発明の一実施例による画像入出力装置を示す模式図である。
【図３】本発明の一実施例による画像入出力装置が備えるヒンジを示す図である。
【図４】（Ａ）は本発明の一実施例による画像入出力装置の開口部を示す図であり、（Ｂ）は開口部に基部のみを挿入した様子を示す図である。
【図５】（Ａ）は本発明の一実施例による画像入出力装置のスキャナハウジングが全閉姿勢のときのヒンジを示す図であり、（Ｂ）は全開姿勢のときのヒンジを示す図である。
【図６】従来の補強構造の一例を示す模式図である。
【符号の説明】
１　ヒンジ
２　プリンタハウジング
３　スキャナハウジング
４　複合機（画像入出力装置）
１１　回動体
１２　くさび体（付勢手段）
１３　圧縮コイルばね（付勢手段）
１４　基部
２０　印刷部（印刷手段）
３０　走査部（画像読み取り手段）
４１　開口部
４４　袋部
１１１　カム部（付勢手段）
１４６　取り付け部
【図１】
2004120548.tif 000003
【図２】
2004120548.tif 000004
【図３】
2004120548.tif 000005
【図４】
2004120548.tif 000006
【図５】
2004120548.tif 000007
【図６】
2004120548.tif 000008